【手続補正書】
【提出日】平成18年1月4日(2006.1.4)
【手続補正１】
【補正対象書類名】特許請求の範囲
【補正対象項目名】全文
【補正方法】変更
【補正の内容】
【特許請求の範囲】
【請求項１】
３次元の対象物（２２）を対象物画像（３０）として表示する方法であって、
初めに、前記対象物（２２）から、異なる複数のフォーカス面Ｚにおいてそれぞれ撮像された複数の個別画像（２６）から構成される積層画像（２４）が生成され、次に、前記積層画像（２４）から、３次元の高さレリーフ画像（２８）が生成され、及び
テクスチャ（２９）が前記３次元の高さレリーフ画像（２８）に投影される形式の方法において、
ａ）前記積層画像（２４）の個別画像（２６）をそれぞれ撮像する前に、前記対象物（２２）は所望のフォーカス面Ｚにおいて位置調節されること
ｂ）前記３次元の高さレリーフ画像（２８）は、３次元空間に存在し座標（Ｘ、Ｙ、Ｚ）を有する支持点（複数）と、該支持点間の補間により該支持点を互いに結合する等高線とによって生成されること、
ｃ）支持点（Ｘ、Ｙ、Ｚ）のＺ座標は、それぞれ、最も鮮鋭なピクセル（Ｘ、Ｙ）の生成フォーカス面に相応すること
を特徴とする方法。
【請求項２】
前記テクスチャ及び前記３次元の高さレリーフ画像（２８）は、前記積層画像（２４）の複数の個別画像（２６）のデータから得られること
を特徴とする請求項１に記載の方法。
【請求項３】
前記テクスチャ（２９）は、完全に鮮鋭な大焦点深度画像を生成するために予め撮像されかつ記憶された積層画像（２４）の複数の個別画像（２６）の不鮮鋭な画像領域が全て除去されたマルチフォーカス画像（１５）から構成されること
を特徴とする請求項１又は２に記載の方法。
【請求項４】
前記積層画像（２４）を生成する際、１つのフォーカス面において並置する複数の個別画像（２６）が撮像されかつピクセル的に正確に再び合成されて個々のフォーカス面のモザイク画像が生成されること、及び
異なる複数の前記フォーカス面の複数の前記モザイク画像から１つの積層画像（２４）が生成されること
を特徴とする請求項１〜３の何れか１項に記載の方法。
【請求項５】
前記テクスチャ（２９）は、完全に鮮鋭な大焦点深度画像を生成するために予め撮像されかつ記憶された積層画像（２４）の複数の個別画像（２６）の不鮮鋭な画像領域が全て除去されたマルチフォーカス画像（１５）から構成されると共に、該マルチフォーカス画像（１５）の１つの積層モザイク画像からの生成は、異なる複数のフォーカス面からの複数のモザイク画像から１つのマルチフォーカス画像（１５）を計算的に生成することによって行われること
を特徴とする請求項４に記載の方法。
【請求項６】
前記テクスチャ（２９）は、前記３次元の高さレリーフ画像（２８）へ投影するために、ピクセル的に正確に前記３次元の高さレリーフ画像（２８）に合せられること
を特徴とする請求項１〜５の何れか一項に記載の方法。
【請求項７】
前記３次元の高さレリーフ画像（２８）は、前記テクスチャ（２９）との組合せられる前に変化されること
を特徴とする請求項１〜６の何れか１項に記載の方法。
【請求項８】
前記テクスチャ（２９）は、前記対象物（２２）の大焦点深度の情報を有するマルチフォーカス画像（１５）のデータから得られること
を特徴とする請求項１〜６の何れか１項に記載の方法。
【請求項９】
前記３次元の高さレリーフ画像（２８）は、フォーカス面（複数）の高さ情報を有するマスク画像（１７）のデータから得られること
を特徴とする請求項１〜８の何れか１項に記載の方法。
【請求項１０】
前記３次元の高さレリーフ画像（２８）は、前記等高線の支持点（複数）の拡大又は縮小により、前記テクスチャ（２９）との組合せ前又は組合せ後に変化されること
を特徴とする請求項１に記載の方法。
【請求項１１】
前記対象物画像（３０）は、画像分析的に処理されること
を特徴とする請求項１〜１０の何れか１項に記載の方法。
【請求項１２】
前記対象物画像（３０）の生成は、前記積層画像（２４）の複数の個別画像（２６）の記録後に手動的に又は自動的に開始されること
を特徴とする請求項１〜１１の何れか１項に記載の方法。
【請求項１３】
時間的に順次連続する複数の対象物画像（３０）が生成されること
を特徴とする請求項１〜１２の何れか１項に記載の方法。
【請求項１４】
前記対象物画像（３０）は、出力装置に出力されること
を特徴とする請求項１〜１３の何れか１項に記載の方法。
【請求項１５】
前記対象物画像（３０）は、出力する前に変化されること
を特徴とする請求項１４に記載の方法。
【請求項１６】
複数の対象物画像（３０）は、時間的に連続する（複数の）対象物画像（３０）の列として前記出力装置に出力されること
を特徴とする請求項１〜１５の何れか１項に記載の方法。
【請求項１７】
前記複数の対象物画像（３０）は、モーフィングによって互いに融合されること
を特徴とする請求項１６に記載の方法。
【請求項１８】
結像光学系によって生成されるゆがみは、まず、数学的に修正されること
を特徴とする請求項１〜１７の何れか一項に記載の方法。
【請求項１９】
３次元の対象物（２２）を対象物画像として表示するための装置であって、
対象物（２２）を結像するための結像システムと、コンピュータと、ｘ−、ｙ−及びｚ方向において対象物（２２）を目標を定めて迅速に位置変化するための複数のアクチュエータ（Aktoren）と、対象物（２２）の異なる複数のフォーカス面において撮像される複数の個別画像（２６）から構成される積層画像（２４）を生成するための撮像装置と、前記結像システムのハードウエアを制御するための制御装置と、前記積層画像（２４）の複数の個別画像（２６）から３次元の高さレリーフ画像（２８）及びテクスチャ（２９）を生成するための分析装置と、該３次元の高さレリーフ画像（２８）と該テクスチャ（２９）とを組合せるための制御装置とを有する装置において、
ａ）前記ハードウエアを制御するための制御装置は、前記アクチュエータが前記対象物（２２）を所望のフォーカス面Ｚにおいて目標を定めて位置調節するように該アクチュエータを制御すること、
ｂ）前記分析装置は、前記３次元の高さレリーフ画像（２８）を、３次元空間に存在し座標（Ｘ、Ｙ、Ｚ）を有する支持点（複数）と、該支持点間の補間により該支持点を互いに結合する等高線とによって生成すること、
ｃ）支持点（Ｘ、Ｙ、Ｚ）のＺ座標は、それぞれ、最も鮮鋭なピクセル（Ｘ、Ｙ）の生成フォーカス面に相応すること
を特徴とする装置。
【請求項２０】
前記対象物画像（３０）を出力するための出力装置を有すること
を特徴とする請求項１９に記載の装置。
【請求項２１】
前記対象物画像（３０）をデータ分析するための装置を有すること
を特徴とする請求項１９又は２０に記載の装置。
【請求項２２】
前記分析装置、前記制御装置及び／又は前記対象物画像（３０）をデータ分析するための装置は、前記コンピュータにおいて実現されること
を特徴とする請求項１９〜２１の何れか１項に記載の装置。
【手続補正２】
【補正対象書類名】明細書
【補正対象項目名】００４９
【補正方法】変更
【補正の内容】
【００４９】
本発明の更なる利点及び更なる有利な実施形態は、以下の図面及びその説明により明らかとなる。なお、図面の表示は見易さの観点から縮尺通りには記載していない。
以下に、整理のため、本発明の実施形態をまとめて示す。
（形態１）３次元の対象物を対象物画像として表示する方法であって、初めに、前記対象物から、異なる複数のフォーカス面Ｚにおいてそれぞれ撮像された複数の個別画像から構成される積層画像が生成され、次に、前記積層画像から、３次元の高さレリーフ画像が生成され、及びテクスチャが前記３次元の高さレリーフ画像に投影される形式の方法において、ａ）前記積層画像の個別画像をそれぞれ撮像する前に、前記対象物は所望のフォーカス面Ｚにおいて位置調節されること、ｂ）前記３次元の高さレリーフ画像は、３次元空間に存在し座標（Ｘ、Ｙ、Ｚ）を有する支持点（複数）と、該支持点間の補間により該支持点を互いに結合する等高線とによって生成されること、ｃ）支持点（Ｘ、Ｙ、Ｚ）のＺ座標は、それぞれ、最も鮮鋭なピクセル（Ｘ、Ｙ）の生成フォーカス面に相応することを特徴とする（方法に係る基本構成）。
（形態２）上記形態１の方法において、前記テクスチャ及び前記３次元の高さレリーフ画像は、前記積層画像の複数の個別画像のデータから得られることが好ましい。
（形態３）上記形態１又は２の方法において、前記テクスチャは、完全に鮮鋭な大焦点深度画像を生成するために予め撮像されかつ記憶された積層画像の複数の個別画像の不鮮鋭な画像領域が全て除去されたマルチフォーカス画像から構成されることが好ましい。
（形態４）上記形態１〜３の方法において、前記積層画像を生成する際、１つのフォーカス面において並置する複数の個別画像が撮像されかつピクセル的に正確に再び合成されて個々のフォーカス面のモザイク画像が生成されること、及び異なる複数の前記フォーカス面の複数の前記モザイク画像から１つの積層画像が生成されることが好ましい。
（形態５）上記形態４の方法において、前記テクスチャは、完全に鮮鋭な大焦点深度画像を生成するために予め撮像されかつ記憶された積層画像の複数の個別画像の不鮮鋭な画像領域が全て除去されたマルチフォーカス画像から構成されると共に、該マルチフォーカス画像の１つの積層モザイク画像からの生成は、異なる複数のフォーカス面からの複数のモザイク画像から１つのマルチフォーカス画像を計算的に生成することによって行われることが好ましい。
（形態６）上記形態１〜５の方法において、前記テクスチャは、前記３次元の高さレリーフ画像へ投影するために、ピクセル的に正確に前記３次元の高さレリーフ画像に合せられることが好ましい。
（形態７）上記形態１〜６の方法において、前記３次元の高さレリーフ画像は、前記テクスチャとの組合せられる前に変化されること（とりわけ三角測量、陰影化及び／又は光線追跡アルゴリズムにより仮想表面が設けられること）が好ましい。
（形態８）上記形態１〜６の方法において、前記テクスチャは、前記対象物の大焦点深度の情報を有するマルチフォーカス画像のデータから得られることが好ましい。
（形態９）上記形態１〜８の方法において、前記３次元の高さレリーフ画像は、フォーカス面（複数）の高さ情報を有するマスク画像のデータから得られることが好ましい。
（形態１０）上記形態１の方法において、前記３次元の高さレリーフ画像は、前記等高線の支持点（複数）の拡大又は縮小により、前記テクスチャとの組合せ前又は組合せ後に変化されることが好ましい。
（形態１１）上記形態１〜１０の方法において、前記対象物画像は、画像分析的に処理されること（とりわけ他のテクスチャと組合せられること）が好ましい。
（形態１２）上記形態１〜１１の方法において、前記対象物画像の生成は、前記積層画像の複数の個別画像の記録後に手動的に又は自動的に開始されることが好ましい。
（形態１３）上記形態１〜１２の方法において、時間的に順次連続する複数の対象物画像が生成されることが好ましい。
（形態１４）上記形態１〜１３の方法において、前記対象物画像は、出力装置（とりわけモニタ、プロッタ、プリンタ、ＬＣＤモニタ又はサイバースペースメガネ）に出力されることが好ましい。
（形態１５）上記形態１４の方法において、前記対象物画像は、出力する前に変化されること（とりわけ仮想のランプにより照明されること、回転ないし並進操作により処理されること、及び／又は仮想の物理法則に当てはめられること）が好ましい。
（形態１６）上記形態１〜１５の方法において、複数の対象物画像は、時間的に連続する（複数の）対象物画像の列として（とりわけ映画フィルム又はアニメーションとして）前記出力装置に出力されることが好ましい。
（形態１７）上記形態１６の方法において、前記複数の対象物画像は、モーフィングによって互いに融合されることが好ましい。
（形態１８）上記形態１〜１７の方法において、結像光学系によって生成されるゆがみは、まず、数学的に修正されることが好ましい。
（形態１９）３次元の対象物を対象物画像として表示するための装置であって、対象物を結像するための結像システム（とりわけ顕微鏡）と、コンピュータと、ｘ−、ｙ−及びｚ方向において対象物を目標を定めて迅速に位置変化するための複数のアクチュエータ（Aktoren）と、対象物の異なる複数のフォーカス面において撮像される複数の個別画像から構成される積層画像を生成するための撮像装置（とりわけアナログ又はデジタル式ＣＣＤカメラ）と、前記結像システムのハードウエアを制御するための制御装置と、前記積層画像の複数の個別画像から３次元の高さレリーフ画像及びテクスチャを生成するための分析装置と、該３次元の高さレリーフ画像と該テクスチャとを組合せるための制御装置とを有する装置において、ａ）前記ハードウエアを制御するための制御装置は、前記アクチュエータが前記対象物を所望のフォーカス面Ｚにおいて目標を定めて位置調節するように該アクチュエータを制御すること、ｂ）前記分析装置は、前記３次元の高さレリーフ画像を、３次元空間に存在し座標（Ｘ、Ｙ、Ｚ）を有する支持点（複数）と、該支持点間の補間により該支持点を互いに結合する等高線とによって生成すること、ｃ）支持点（Ｘ、Ｙ、Ｚ）のＺ座標は、それぞれ、最も鮮鋭なピクセル（Ｘ、Ｙ）の生成フォーカス面に相応することを特徴とする（装置に係る基本構成）。
（形態２０）上記形態１９の装置において、前記対象物画像を出力するための出力装置（とりわけモニタ、プロッタ、プリンタ、ＬＣＤモニタ又はサイバースペースメガネ）を有することが好ましい。
（形態２１）上記形態１９又は２０の装置において、前記対象物画像をデータ分析するための装置を有することが好ましい。
（形態２２）上記形態１９〜２１の装置において、前記分析装置、前記制御装置及び／又は前記対象物画像をデータ分析するための装置は、前記コンピュータにおいて実現されることが好ましい。